【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
送信デバイスを動作させて受信デバイスと通信するための方法であって、
前記送信デバイスが、ルートインデックス値のセットからルートインデックス値を選択することと、
前記送信デバイスが、前記選択されたルートインデックス値に基づいて周波数領域の定振幅零自己相関（ＣＡＺＡＣ）系列を生成することと、
前記送信デバイスが、疑似雑音（ＰＮ）系列によって前記周波数領域の（ＣＡＺＡＣ）系列を変調して、複素系列を生成することと、
前記送信デバイスが、前記複素系列を複数のサブキャリアにマッピングすることによって、直交周波数分割多重（ＯＦＤＭ）シンボルを生成することと、
前記送信デバイスが、前記受信デバイスに対するフレームのプリアンブルの初期ＯＦＤＭシンボルとして、前記ＯＦＤＭシンボルを送信することと、
前記送信デバイスが、前記プリアンブルの後続するＯＦＤＭシンボルを生成することと、を含み、
前記プリアンブルの後続するＯＦＤＭシンボルを生成することは、
前記周波数領域の（ＣＡＺＡＣ）系列にそれぞれのサイクリックシフトを適用することであって、前記それぞれのサイクリックシフトの各々が、それぞれのフレーム構成情報に基づいてサイクリックシフトのセットから選択される、適用することと、
前記フレームの前記プリアンブルの前記後続するＯＦＤＭシンボルを送信することと
を含む、
方法。
【請求項２】
前記初期ＯＦＤＭシンボルが、初期同期を提供するように構成されたフレーム制御シンボルを含む、請求項１に記載の方法。
【請求項３】
前記ＣＡＺＡＣ系列がザドフ−チュー（ＺＣ）系列を含む、請求項１に記載の方法。
【請求項４】
前記周波数領域の（ＣＡＺＡＣ）系列が、サービスタイプのセットから、前記フレームによって提供されるサービスタイプを表示する、請求項１に記載の方法。
【請求項５】
前記フレームの前記プリアンブルの前記後続するＯＦＤＭシンボルが、前記フレームのコンテンツを表すように構成されたコンテンツ制御シンボルを含む、請求項１に記載の方法。
【請求項６】
前記送信デバイスが、前記後続するＯＦＤＭシンボルを送信する前に、前記後続するＯＦＤＭシンボルのうちの少なくとも１つに位相反転動作を適用することをさらに含む、請求項１に記載の方法。
【請求項７】
前記後続するＯＦＤＭシンボルのうちのＯＦＤＭシンボルによって信号伝達されたフレーム構成情報が、前記後続するＯＦＤＭシンボルのうちの先のＯＦＤＭシンボルによって信号伝達された先のフレーム構成情報に基づいており、前記ＯＦＤＭシンボルが、前記後続するＯＦＤＭシンボルの中で前記先のＯＦＤＭシンボルの後である、請求項１に記載の方法。
【請求項８】
受信デバイスを動作させて送信デバイスと通信するための方法であって、
前記受信デバイスが、前記送信デバイスによって送信された信号のサンプルのセットを受信することと、
前記受信デバイスが、疑似雑音（ＰＮ）系列によって変調された複数の定振幅零自己相関（ＣＡＺＡＣ）系列のそれぞれに対して前記サンプルのセットを相関させて、前記送信された信号のフレームのプリアンブルの初期直交周波数分割多重（ＯＦＤＭ）シンボルを検出することであって、前記ＣＡＺＡＣ系列が別個のルートインデックス値にそれぞれ対応し、および前記ＰＮ系列がＰＮシード値に基づいている、検出することと、
前記受信デバイスが、前記複数のＣＡＺＡＣ系列の中から特定のＣＡＺＡＣ系列を識別することであって、前記特定のＣＡＺＡＣ系列が最大の相関応答に対応する、識別することと、
前記受信デバイスが、前記特定のＣＡＺＡＣ系列に基づいて、前記プリアンブルの後続するＯＦＤＭシンボルを得ることであって、前記後続するＯＦＤＭシンボルがシンボルデータセットを含む、得ることと
を含む方法。
【請求項９】
前記複数のＣＡＺＡＣ系列がそれぞれザドフ−チュー系列を含む、請求項８に記載の方法。
【請求項１０】
前記特定のＣＡＺＡＣ系列が、前記フレームに対するサービスタイプを表示する、請求項８に記載の方法。
【請求項１１】
前記受信デバイスが、前記シンボルデータセットのそれぞれについて、前記特定のＣＡＺＡＣ系列に対して対応するサイクリックシフトを決定することをさらに含み、対応するフレーム構成情報が、前記対応するサイクリックシフトおよび前記特定のＣＡＺＡＣ系列に少なくとも部分的に基づいている、請求項８に記載の方法。
【請求項１２】
前記後続するＯＦＤＭシンボルのうちのＯＦＤＭシンボルによって信号伝達されたフレーム構成情報が、前記後続するＯＦＤＭシンボルのうちの先のＯＦＤＭシンボルによって信号伝達された先のフレーム構成情報に基づいており、前記ＯＦＤＭシンボルが、前記後続するＯＦＤＭシンボルの中で前記先のＯＦＤＭシンボルの後である、請求項８に記載の方法。
【請求項１３】
送信デバイスと受信デバイスとの間で通信するための方法であって、
疑似雑音（ＰＮ）系列によって定振幅零自己相関（ＣＡＺＡＣ）系列を変調して、複素系列を生成することと、
前記複素系列を複数のサブキャリアにマッピングして、初期直交周波数分割多重（ＯＦＤＭ）シンボルの第１のサブキャリア値を生成することと、
前記ＣＡＺＡＣ系列にサイクリックシフトを適用して、サイクリックシフトされたＣＡＺＡＣ系列を生成することと、
前記ＰＮ系列によって、前記サイクリックシフトされたＣＡＺＡＣ系列を変調して、第２の複素系列を生成することと、
前記第２の複素系列を前記複数のサブキャリアにマッピングして、後続するＯＦＤＭシンボルの第２のサブキャリア値を生成することと、
フレームプリアンブルの前記初期ＯＦＤＭシンボルおよび前記後続するＯＦＤＭシンボルを送信することと
を含む方法。
【請求項１４】
線形フィードバックシフトレジスタを用いて前記ＰＮ系列を生成することをさらに含む、請求項１３に記載の方法。
【請求項１５】
前記後続するＯＦＤＭシンボルが前記フレームプリアンブルの最終のＯＦＤＭシンボルに対応するときに、前記第２の複素系列を反転することをさらに含む、請求項１３に記載の方法。
【請求項１６】
前記第１のサブキャリア値に逆高速フーリエ変換（ＩＦＦＴ）を適用して、前記初期ＯＦＤＭシンボルを生成することをさらに含む、請求項１３に記載の方法。
【請求項１７】
送信デバイスであって、
プログラム命令を記憶するメモリと、
プロセッサであって、前記プログラム命令を実行すると、
ルートインデックス値のセットからルートインデックス値を選択することと、
前記選択されたルートインデックス値に基づいて周波数領域の定振幅零自己相関（ＣＡＺＡＣ）系列を生成することと、
疑似雑音（ＰＮ）系列によって前記周波数領域のＣＡＺＡＣ系列を変調して、複素系列を生成することと、
前記複素系列を複数のサブキャリアにマッピングして、フレームプリアンブルの初期直交周波数分割多重（ＯＦＤＭ）シンボルのサブキャリア値を決定することと、
前記ＣＡＺＡＣ系列にサイクリックシフトを適用して、サイクリックシフトされたＣＡＺＡＣ系列を生成することであって、前記サイクリックシフトされたＣＡＺＡＣ系列が前記ＰＮ系列によって変調されて、第２の複素系列を生成する、生成することと、
前記第２の複素系列を前記複数のサブキャリアにマッピングして、前記フレームプリアンブルの後続するＯＦＤＭシンボルの後続するサブキャリア値を生成することと
を行うように構成されたプロセッサと
を含む送信デバイス。
【請求項１８】
前記ルートインデックス値が素数以外の値を含む、請求項１７に記載の送信デバイス。
【請求項１９】
前記プロセッサが、前記プログラム命令を実行すると、
前記サブキャリア値に逆高速フーリエ変換（ＩＦＦＴ）を適用して、前記初期ＯＦＤＭシンボルを生成することと、
前記初期ＯＦＤＭシンボルを受信デバイスに送信することと
を行うようにさらに構成されている、請求項１７に記載の送信デバイス。
【請求項２０】
前記ＣＡＺＡＣ系列がザドフ−チュー（ＺＣ）系列を含む、請求項１７に記載の送信デバイス。
【請求項２１】
前記プロセッサが、前記命令を実行すると、前記後続するＯＦＤＭシンボルが前記フレームプリアンブルの最終のＯＦＤＭシンボルに対応するときに、前記第２の複素系列を反転するようにさらに構成されている、請求項１７に記載の送信デバイス。
【請求項２２】
フレームプリアンブルの初期直交周波数分割多重（ＯＦＤＭ）シンボルの検出を強化するための方法であって、
素数ルートインデックス値および素数以外のルートインデックス値を含むルートインデックス値のセットから選択されたルートインデックス値を用いて、ザドフ−チュー（ＺＣ）系列を生成することと、
疑似雑音（ＰＮ）系列によって前記ＺＣ系列を変調して、複素系列を生成することと、
前記複素系列に基づいて前記初期ＯＦＤＭシンボルを生成することと、
前記フレームプリアンブルの第１のシンボル期間において、レシーバに前記初期ＯＦＤＭシンボルを送信することと、
前記ＺＣ系列をサイクリックシフトして、サイクリックシフトされたＺＣ系列を生成することと、
前記ＰＮ系列によって、前記サイクリックシフトされたＺＣ系列を変調して、第２の複素系列を生成することと、
前記第２の複素系列に基づいて後続するＯＦＤＭシンボルを生成することと、
前記第１のシンボル期間に隣接する前記フレームプリアンブルの第２のシンボル期間において、前記レシーバに前記後続するＯＦＤＭシンボルを送信することと
を含む方法。